(57)【要約】【課題】ビデオデータを伴うチャプタリング情報の単純な記憶と、ハードディスク又はより一般的には、ＤＶＤなどであっても良い記憶手段の読み出しの間の単純な復号化とを可能にする符号化装置等を提供する。【解決手段】本発明は、データグループにおいて画像を符号化する手段（２，１１）を有するビデオデータ符号化装置に関する。装置は、データのチャプタリングを表すパラメータを含むメッセージを、符号化されたデータグループに挿入する手段を有する。【選択図】図１
2008136211.tif 000002
【特許請求の範囲】
【請求項１】
データグループにおいて画像を符号化する手段を有するオーディオ／ビデオデータ符号化装置であって、
データのチャプタリングを表すパラメータを含むメッセージを、符号化されたデータグループに挿入する手段を有する、ことを特徴とするオーディオ／ビデオデータ符号化装置。
【請求項２】
前記データを符号化する手段はＨ．２６４標準に従って前記データを符号化し、
前記メッセージは付加拡張情報タイプのメッセージである、ことを特徴とする請求項１記載のオーディオ／ビデオデータ符号化装置。
【請求項３】
前記付加拡張情報タイプのメッセージは、
バイトにおけるチャプタの存続期間と、
ビデオデータの開始に対するチャプタの開始時間と、
前記存続期間及び前記開始時間の組合せと
から選択される少なくとも１つの情報アイテムを含む、ことを特徴とする請求項２記載のオーディオ／ビデオデータ符号化装置。
【請求項４】
前記付加拡張情報タイプのメッセージはチャプタのタイトルに関連する情報を含む、ことを特徴とする請求項１又は２記載のオーディオ／ビデオデータ符号化装置。
【請求項５】
前記チャプタリングの情報を表す前記パラメータは、また、
ビデオコンテンツがフィルムを表す場合に前記フィルムの役者と、
前記ビデオコンテンツがフィルムを表す場合にディレクタと、
チャプタの概要と、
前記役者、前記ディレクタ及び前記概要のいずれかの組合せと
から選択される、ビデオデータに関連する情報を含む、ことを特徴とする請求項１乃至４のうちいずれか一項記載のオーディオ／ビデオデータ符号化装置。
【請求項６】
請求項１乃至５のうちいずれか一項記載のオーディオ／ビデオデータ符号化装置と、
前記チャプタリングの情報をとともに符号化されたオーディオ／ビデオデータを送信する手段と
を有する、オーディオ／ビデオデータ送信システム。
【請求項７】
記録媒体に記録されるよう意図されるデータを符号化するための、請求項１記載のオーディオ／ビデオデータ符号化装置の使用方法であって、
前記符号化された記録されるべきデータは、関連するチャプタリング情報に関連するメッセージ及びデータパケットを含む、使用方法。
【請求項８】
画像を復号化する手段を有するビデオデータ復号化装置であって、
チャプタリングの情報を表すパラメータを含むメッセージをデータから抽出する手段を有する、ことを特徴とするビデオデータ復号化装置。
【発明の詳細な説明】
【技術分野】
【０００１】
本発明は、符号化装置、復号化装置、送信システム、及びオーディオ／ビデオを記録するための装置に関する。
【０００２】
本発明は、より具体的には、オーディオ−ビジュアルプログラムのチャプタリングに関する。
【背景技術】
【０００３】
録画された番組のチャプタにアクセスするために現在ＤＶＤプレーヤによって提供されている機能は、特定の瞬間のサーチにおいて番組を探索することなく、プログラムを閲覧することを使いやすくする。
【特許文献１】ＵＳ２００５／０３１３０８Ａ１
【特許文献２】ＵＳ２００５／１９３４０８Ａ１
【非特許文献１】ＴＨＯＭＡＳ  ＷＩＥＧＡＮＤ、“Ｔｅｘｔ  ｏｆ  ｆｉｎａｌ  ｃｏｍｉｔｔｅｅ  ｄｒａｆｔ  ｏｆ  ｊｏｉｎｔ  ｖｉｄｅｏ  ｓｐｅｃｉｆｉｃａｔｉｏｎ  （ＩＴＵ−Ｔ  Ｒｅｃ．Ｈ．２６４  ＩＳＯ／ＩＥＣ  １４４９６−１０  ＡＶＣ）”、ＩＮＴＥＲＮＡＴＩＯＮＡＬ  ＯＲＧＡＮＩＳＡＴＩＯＮ  ＦＯＲ  ＳＴＡＮＤＡＲＤＩＳＡＴＩＯＮ  ＩＳＯ／ＩＥＣ  ＪＴＣ１／ＳＣ２９／ＷＧ１１  ＣＯＤＩＮＧ  ＯＦ  ＭＯＶＩＮＧ  ＰＩＣＴＵＲＥｓ  ＡＮＳ  ＡＵＤＩＯ  ＭＰＥＧ０２／Ｎ４９２０、ＡＮＮＥＸ  Ｄ  ＳＵＰＰＬＥＭＥＮＴＡＬ  ＥＮＨＡＮＣＥＭＥＮＴ  ＩＮＦＯＲＭＡＴＩＯＮ、Ｊｕｌｙ  ２００２、ｐａｇｅ１６９−１８２
【発明の開示】
【発明が解決しようとする課題】
【０００４】
上記機能は、現在、例えばテレビ放送によって受信され得る番組に関しては存在しておらず、このような番組を記録する場合に、かかるチャプタリングを有することは不可能である。このチャプタリングは、また、ＰＶＲ（パーソナルビデオレコーダ）の機能においても得難い。
【０００５】
従って、本発明は、ビデオデータを伴うチャプタリング情報の単純な記憶と、ハードディスク又はより一般的には、ＤＶＤなどであっても良い記憶手段の読み出しの間の単純な復号化とを可能にする符号化装置、復号化装置、記録装置、オーディオ／ビデオデータ送信システムを提供することを目的とする。
【課題を解決するための手段】
【０００６】
従って、本発明は、データのグループで画像を符号化する手段を有するビデオデータ符号化装置を提案する。本発明に従って、当該装置は、データのチャプタリングを表すパラメータを含むメッセージを、符号化されたデータグループに挿入する手段を有する。
【０００７】
好ましい実施形態に従って、前記データを符号化する手段はＨ．２６４標準に従って前記データを符号化し、前記メッセージは付加拡張情報（Ｓｕｐｐｌｅｍｅｎｔａｌ  Ｅｎｈａｎｃｅｍｅｎｔ  Ｉｎｆｏｒｍａｔｉｏｎ）タイプのメッセージである。
【０００８】
前記Ｈ．２６４圧縮標準は、ビデオ符号化及び記録装置で幅広く使用されつつある処理における標準である。それは、符号化に関連する情報を送信することを可能にする付加拡張情報（ＳＥＩ）と呼ばれるメッセージのタイプを有する。本発明者は、このようなメッセージが、また、データ符号化以外の目的に使用され得ることを認識し、チャプタリング情報を符号化するためのかかるメッセージの使用を提案する。かかるメッセージは、デコーダによって無視され、ビデオデータが派生するところのエンコーダによってそれらが生成される場合でさえ無視される。
【０００９】
好ましい実施形態に従って、前記付加拡張情報タイプのメッセージは、
バイトにおけるチャプタの存続期間と、
ビデオデータの開始に対するチャプタの開始時間と、
前記存続期間及び前記開始時間の組合せと
から選択される少なくとも１つの情報アイテムを含む。
【００１０】
好ましい実施形態に従って、前記付加拡張情報タイプのメッセージはチャプタのタイトルに関連する情報を含む。
【００１１】
好ましい実施形態に従って、前記チャプタリングの情報を表す前記パラメータは、また、
ビデオコンテンツがフィルムを表す場合に前記フィルムの役者と、
前記ビデオコンテンツがフィルムを表す場合にディレクタと、
チャプタの概要と、
前記役者、前記ディレクタ及び前記概要のいずれかの組合せと
から選択される、オーディオ／ビデオデータに関連する情報を含む。
【００１２】
本発明は、また、本発明に従う符号化装置と、前記チャプタリングの情報を含む符号化されたオーディオ／ビデオデータを送信する手段とを有する、オーディオ／ビデオデータ送信システムに関する。
【００１３】
他の態様に従って、本発明は、記録されるよう意図されるデータを符号化するための手段を有するオーディオ／ビデオデータ記録装置に関する。本発明に従って、当該記録装置は、
符号化の前に前記オーディオ／ビデオデータに基づくチャプタリング情報を生成又は検出し、前記オーディオ／ビデオデータに関連付ける手段と、
前記オーディオ／ビデオデータに関連するメッセージにおける前記チャプタリング情報を符号化する手段と、
前記関連するチャプタリング情報に関連するメッセージ及びデータパケットを含む符号化されたデータを記憶手段に記録する手段と
を有する。
【００１４】
好ましい実施形態に従って、オーディオビデオ情報を符号化する手段はＨ．２６４圧縮標準に従い、前記関連するメッセージは付加拡張情報タイプのメッセージである。
【００１５】
他の態様に従って、本発明は、また、画像を復号化する手段を有するビデオデータ復号化装置に関する。本発明に従って、当該復号化装置は、チャプタリングの情報を前記データから抽出する手段を有する。
【００１６】
代替的に、当該記録装置は、前記記憶手段に記録されたビデオ情報を復号化する手段と、前記ビデオ情報を表示手段に送信する手段とを有する。
【発明の効果】
【００１７】
本発明により、ビデオデータを伴うチャプタリング情報の単純な記憶と、ハードディスク又はより一般的には、ＤＶＤなどであっても良い記憶手段の読み出しの間の単純な復号化とが可能となる。
【発明を実施するための最良の形態】
【００１８】
本発明は、添付の図面を参照して、全く限定でない有利な例となる実施形態及び実施を用いて表されており、より良く理解されるであろう。
【００１９】
本発明の様々な実施形態は、ソフトウェア、ハードウェア、又はこれらの様々な技術の組合せとして実現され得る。例えば、幾つかの場合において、本発明は、本発明に従う方法を実行するために記録された命令を有するコンピュータ読み出し可能な装置又は媒体を有することが可能なコンピュータプログラムプロダクト又はソフトウェアとして提供され得る。他の実施形態において、本発明は、本発明の様々な手段を構成する結線論理（ｗｉｒｅｄ  ｌｏｇｉｃ）を有するハードウェアとして、あるいは、ソフトウェア手段及びハードウェア手段の組合せとして達成され得る。
【００２０】
システムは画像処理手段１を有する。画像処理手段１の出力は符号器２へ接続されている。符号器２の出力は送信手段３へ接続されている。
【００２１】
画像処理手段１は、映画カメラから直接に派生した、あるいは、撮影後の編集手段から派生し、従って、送信のために符号化されるべきオーディオ／ビデオデータを入力として受け取る。
【００２２】
画像処理手段１は、受け取ったオーディオ／ビデオデータから構造を復元するためにビデオコンテンツを解析する。このようにして、それらは、サブユニットへのブレイクダウン、例えばチャプタをそれから得るために、ビデオにインデックスを付す。ビデオのチャプタへのかかるブレイクダウンは、プランへの前のブレイクダウンによって実行される。このような方法は、所謂当業者には知られている。撮影後の編集の間、ディレクタは、例えば、どの時点でチャプタの変更及び各チャプタのタイトル送信を検出することが可能であるかを示す時間ラベルを用いて、チャプタリングデータを指示し、それらを画像処理手段へ送信することができる。送信された時間情報は、ビデオの開始に対する相対値、又は、絶対値のソート、又は、各チャプタの存続期間のいずれか１つである。
【００２３】
チャプタがデータコンテンツとは無関係であって、且つ、それがビデオの存続期間にのみ対応すると定めることも可能である。例えば、チャプタは１０分ごとに生成され得る。
【００２４】
画像処理モジュールは、ビデオデータを受信すると、かかるビデオデータを符号器２に供給する。符号器２は画像処理手段１からそれらを受信するので、関連するチャプタリング情報は各チャプタのタイトル及び各チャプタの存続期間に対応する。
【００２５】
符号化手段２は、Ｈ．２６４標準に従う符号化手段である。
【００２６】
符号化手段２は、チャプタリング情報をＳＥＩ（付加拡張情報）メッセージに挿入する。
【００２７】
以下の表は、以下のテーブルで表される“ｕｓｅｒ＿ｄａｔａ＿ｕｎｒｅｓｉｓｔｅｒｅｄ”のペイロードデータにＨ．２６４標準において対応するタイプ６のペイロードデータタイプを用いて、ＳＥＩメッセージのペイロードデータ部を表す。
−  １２８ビットワード“ｕｕｉｄ＿ｉｓｏ＿ｉｅｃ＿１１５７８”は、復号化相の間の復号器へのメッセージタイプを示す。Ｈ．２６４標準は、その意味に従ってかかるワードに関してある数の値を指定する。かかる値のうちの１つは、それが“ｕｓｅｒ＿ｄａｔａ＿ｐａｙｌｏａｄ”タイプのメッセージであることを示す。
−  “ｕｓｅｒ＿ｄａｔａ＿ｐａｙｌｏａｄ＿ｂｙｔｅ”ワードは、ＳＥＩメッセージの一部分を形成する８ビットワードである。かかる８ビットワードは、専用のアプリケーションに関連するデータを符号化するために、特にここでは、以下で符号化されるような本発明に関連するデータを符号化するために使用される。
【００２８】
【表１】
2008136211.tif 000003
好ましい実施形態において、ペイロードデータのサイズは１７バイトに等しく、１６バイトはＵＵＩＤのために留保され、１バイトは本発明に関連するデータのために使用される。
【００２９】
【表２】
2008136211.tif 000004
●  ｓｅｑｕｅｎｃｅ＿ｉｄ：このバイトは、使用されるべきＳＰＳ（シーケンスパラメータセット（Ｓｅｑｕｅｎｃｅ  Ｐａｒａｍｅｔｅｒ  Ｓｅｔ））のｓｅｑｕｅｎｃｅ＿ｉｄを参照する。チャプタリングＳＥＩメッセージは、同じｓｅｑｕｅｎｃｅ＿ｉｄを有するＳＰＳの前のデータストリームにおいて送信されるべきである。
【００３０】
●  ｔｉｔｌｅ＿ｓｉｚｅ：このバイトは、バイトにおいてチャプタタイトルのサイズを示す。それは、また、ビデオデータの介しに対するチャプタの開始時間を示すことができる。それは、また、両方の情報アイテムを含むこともできる。
【００３１】
●  ｔｉｔｌｅ＿ｎａｍｅ：使用されるべきチャプタの名称を与える文字列（最大２５５文字）。
【００３２】
●  ｔｉｔｌｅ＿ｉｎｆｏ＿ｓｉｚｅ：追加の情報のサイズ及び、例えばチャプタの概要を示す１６ビットワード。
【００３３】
●  ｔｉｔｌｅ＿ｉｎｆｏ：チャプタの追加の詳細を与える文字列（最大６５５３５文字）。
【００３４】
符号器２は、Ｈ．２６４フォーマットにおいてビデオデータを符号化し、データグループにチャプタリングデータを含むＳＥＩメッセージを挿入する。
【００３５】
図２は、本発明の好ましい実施例に従う符号器２を表す。
【００３６】
現在のフレームＦｎは、符号器で符号化されるために、符号器の入力部に与えられる。このフレームは、セクションの形で符号化される。即ち、それは、夫々が１６×１６の画素のグループに対応するある数のマクロブロックを含むところのサブユニットに分けられる。各マクロブロックは、イントラモード又はインタモードで符号化される。それがイントラモード又はインタモードのいずれにあるかに関わらず、マクロブロックは、再構成されたフレームに基づいて符号化される。モジュール１０９は、画像のコンテンツに従って現在の画像のイントラモード符号化を決定する。イントラモードにおいて、（図２に示される）Ｐは、予め符号化、復号化及び再構成をなされた現在のフレームＦｎのサンプル（図２中のｕＦ′ｎ。ｕはフィルタ処理されていない意。）から成る。インタモードにおいて、Ｐは、１又はそれ以上のフレームＦ′ｎ−１に基づく移動の推定から構成される。
【００３７】
移動推定モジュール（ＥＭ）１０１は、現在のフレームＦｎと、少なくとも１つの前のフレームＦ′ｎ−１との間の移動の推定を確立する。この移動推定から、移動補償モジュール（ＣＭ）１０２は、現在のフレームＦｎがインタモードで符号化されるべき場合に、フレームＰを生成する。
【００３８】
減算器１０３は、符号化されるべき画像Ｆｎと、画像Ｐとの間の差分である信号Ｄｎを生成する。次いで、この画像は、モジュール（Ｔ）１０４においてＤＶＴ変換によって変換される。次いで、変換された画像は、量子化モジュール（Ｑ）１０５によって量子化される。次いで、画像はモジュール１１１によって再編成される。次いで、ＣＡＢＡＣ（文脈適応２進演算符号化（Ｃｏｎｔｅｘｔ−ｂａｓｅｄ  Ａｄａｐｔｉｖｅ  Ｂｉｎａｒｙ  Ａｒｉｔｈｍｅｔｉｃ  Ｃｏｄｉｎｇ））タイプのエントロピー符号化モジュール１１２は各画像を符号化する。
【００３９】
逆量子化のためのモジュール（Ｑ−１）１０６及び逆変換のためのモジュール（Ｔ−１）１０７は、変換及び量子化、次いで逆量子化及び逆変換の後に、差分Ｄ′ｎを再構成することを可能にする。画像がモジュール１０９に従ってイントラモードにおいて符号化される場合に、イントラ予測モジュール１０８は画像を符号化する。画像ｕＦ′ｎは、信号Ｄ′ｎ及び信号Ｐの和として、加算器１１４の出力部で得られる。このモジュール１０８は、また、フィルタ処理されていない再構成された画像ｕＦ′ｎを入力部で受け取る。
【００４０】
フィルタリングモジュール１１０は、画像ｕＦ′ｎからフィルタ処理された再構成された画像Ｆ′ｎを得ることを可能にする。
【００４１】
エントロピー符号化モジュール１１２は、ＮＡＬタイプのユニットにカプセル化された符号化セクションを送信する。ＮＡＬは、かかるセクションに加えて、例えばヘッダに関連する情報を含む。ＮＡＬタイプのユニットは、モジュール１１３へ送信される。モジュール１１３は、送信ネットワークへの様々な符号化セクションの送信の前にＳＥＩメッセージを挿入する。
【００４２】
挿入されるＳＥＩメッセージは、先に記載され且つ図２に表されたＳＥＩメッセージに従う。
【００４３】
このようにして、符号化されたペイロードデータ及び符号化されたＳＥＩメッセージからなるデータストリームは、ユーザへの送信のために送信手段３へ送信される。
【００４４】
送信手段は、送信媒体に依存して異なるタイプとして構成され得る。データは、衛星によって、インターネットによって、又はケーブルによって送信され得る。
【００４５】
従って、送信手段３は、所謂当業者に知られる従来の方法で、媒体に従ってデータをフォーマットする。
【００４６】
次いで、データは、モデムを介して、又は従来の受信アンテナ及びチューナを介して、又はケーブルを介して、ユーザによって受け取られる。次いで、データは、それらが直接に見られるよう意図される場合には、復調された後、あるいは、受信形式に依存して別なふうに処理された後、復号器４へ送信される。あるいは、それらが記録することを目的とするならば、それらは、それらを記録するために必要なメモリ空間を低減するために、符号化されたまま記録される。
【００４７】
図３は、本発明の好ましい実施形態に従う復号器４を表す。
【００４８】
モジュール２０９は、入力部でＳＥＩメッセージを受け取る。それは様々なＳＥＩメッセージを取り出す。ペイロードデータのＮＡＬは、エントロピー復号化モジュール２０１へ送信される。
【００４９】
次いで、データは、係数の組を得るために記録モジュール２０２へ送信される。次いで、かかる係数は、モジュール（Ｑ−１）２０３で逆量子化を受け、モジュール（Ｔ−１）２０４で逆ＤＴＣ変換を受ける。モジュール２０４の出力部で、Ｄ′ｎマクロブロックが得られる。Ｄ′ｎはＤｎの変形されたバージョンである。予測ブロックＰは、マクロブロックｕＦ′ｎを再構成するよう加算器２０５によってＤ′ｎに加えられる。ブロックＰは、符号化がインタモードである場合には前の復号化されたフレームに関してモジュール（ＣＭ）２０８によって実行される移動補償の後に、あるいは、符号化がイントラモードである場合にはモジュール２０７によるマクロブロックｕＦ′ｎのイントラ予測の後に、得られる。フィルタ２０６は、歪みの影響を低減するよう信号ｕＦ′ｎへ適用され、再構成されたフレームＦ′ｎは一連のマクロブロックから形成される。
【００５０】
復号器４の出力部におけるＳＥＩメッセージ及びペイロードデータは、使用されるよう処理手段５へ送信される。
【００５１】
処理手段５は、処理装置のタイプにより制御される。それらは、データをそのあて先（ｄｅｓｔｉｎａｔｉｏｎ）に依存してフォーマットすることを可能にする。かかるデータのあて先の１つはディスプレイであり、他は記憶装置である。
【００５２】
データが、例えばテレビ受像機タイプのディスプレイ装置６での表示を目的とする場合、ＳＥＩメッセージから派生するチャプタリング情報は、スクリーンに嵌め込まれるよう再フォーマットされる。チャプタリング情報に加えて、ｔｉｔｌｅ＿ｉｎｆｏフィールドで送信される追加の情報も表示される。この情報は、例えば、ディレクタ、再生時間、役者、撮影年度など、送信されるオーディオビデオドキュメントに関する。
【００５３】
チャプタリング情報及び追加の情報は、スクリーンの上部又は下部におけるストリップ形式でスクリーン上に表示される。それは、また、適切なユーザインターフェースにより、ユーザ要求時に隠され得る。
【００５４】
ユーザは、適切なユーザインターフェース、リモートコントロール、又は、例えば様々なチャプタをクリックすることによるスクリーンでの直接選択により、チャプタごとにドキュメントを閲覧することができる。
【００５５】
データが記録することを目的とする場合、それらは記録手段７へ送信される。
【００５６】
記録手段７は、データを記憶手段へ送信するために、必要に応じて、受信したデータをフォーマットする役目を負う。記録手段７は、記憶手段８においてデータの場所を決定するファイル管理システム及び処理装置（図示せず。）によって制御される。好ましい方法で、記憶手段８はハードディスクタイプから成るが、それらは、また、デジタルバーサタイルディスク（ＤＶＤ（Ｄｉｇｉｔａｌ  Ｖｅｒｓａｔｉｌｅ  Ｄｉｓｋ））タイプ、例えばメモリ（ＵＳＢキー）、メモリカード、ブルーレイディスクなど、又はいずれかの光学又は磁気記憶手段であっても良い。
【００５７】
ファイル管理システムによって駆動される記録手段は、連続的又は非連続的なメモリ空間にオーディオ／ビデオデータ及びそのチャプタリング情報を記録する。重要なことは、データが記憶手段において読み出される場合にオーディオ／ビデオデータを元に戻す際に、チャプタリング情報を元に戻す能力である。オーディオ／ビデオデータと共にチャプタリング情報を記憶する方法は、アプリケーション及び記録装置に依存する。
【００５８】
記憶手段に記録されたデータがディスプレイ装置６で見られるために読み出される場合、データは、記録手段７によってハードディスク８において読み出され、復号器４へ送信される。次いで、それらは、以前の記録によらずに見ることを目的として送信ネットワークから受け取られたデータと同じ経路に従う。
【００５９】
好ましい方法で、復号化手段４、処理手段５、記録手段７及び記憶手段８は、同じ装置の部分、即ち、通常はＰＶＲとして知られるパーソナルビデオレコーダを形成する。
【００６０】
図４は、パーソナルビデオレコーダ（ＰＶＲ）タイプの装置１０を表す。
【００６１】
このパーソナルビデオレコーダは、圧縮されていないデータ、又は、Ｈ．２６４圧縮標準以外のモードに従って圧縮されたデータを受け取る。
【００６２】
処理手段５は、少なくとも１つの通信／送信装置を用いて、及び、例えば衛星を介して、送信機から入来するデータを入力部で受け取る。データは、また、ケーブルやインターネットを介して受け取られても良い。
【００６３】
処理手段５は、従来のパーソナルビデオレコーダの場合のように、ディスプレイ手段６へオーディオ／ビデオデータを送信する。
【００６４】
処理手段５は、また、ユーザがハードディスク８において受け取られたデータの記録を要求している場合には、符号器９へオーディオ／ビデオデータを送信する。
【００６５】
データが記録することを目的とする場合、それらは、ハードディスクにおいて占有する空間を少なくするように圧縮される。本発明に従って、データは、Ｈ．２６４標準に従って符号化される。
【００６６】
処理手段５の入力部で受け取られたデータは、チャプタリング情報を含むデータである。かかるデータは、例えば、ＤＶＢタイプのデータストリームで送信される。
【００６７】
他の実施形態で、チャプタリング情報はＰＶＲにおいて生成される。従って、ＰＶＲは、チャプタを決定するために、プランへのビデオのブレイクダウンを取り出すことができる画像処理手段を有する。画像処理手段は、また、実際のコンテンツを考慮せずに、ビデオを時間セクション（例えば、１０分セクション。）に分けることによって、上述されたようなチャプタへの任意の分割を決定することができる。
【００６８】
チャプタリング情報は、図１の符号器２による場合と同様に、符号器９によってＳＥＩメッセージに挿入される。
【００６９】
ハードディスク８に記録されたデータの再生の間、データは記録手段７によって読み出され、復号器１１へ送信される。復号器１１は、図３を参照して記載される復号器に対応する。それは、ＳＥＩメッセージに挿入されたチャプタリング情報を取り出し、表示されるべきビデオデータと、チャプタリング情報とを処理手段５へ送信する。処理手段５は、表示用のデータと、チャプタリング情報とをフォーマットする。
【００７０】
本発明の好ましい実施形態は、Ｈ．２６４符号化標準を参照する。しかし、本発明は、また、フィールドが情報を符号化するために提供されるところの他の符号化装置にも関連しうる。有利に、その場合に、本発明は、チャプタリング情報を送信するためにかかるフィールドを使用することを可能にする。
【００７１】
より具体的に、パーソナルビデオレコーダ（ＰＶＲ）に照らして、ユーザは、例えばＤＶＤのようなメディアを読み出す際に、そのユーザが見ようとしているフィルムに関連するチャプタリング情報を有するものである。他方で、ユーザが送信機から受け取った番組及び記録している番組を記録する場合、ユーザは、このようなチャプタリング機能を有さない。従って、本発明は、有利に、チャプタリング情報がデータストリームの符号化の間にビデオデータストリームと共に符号化されるように、このチャプタリング情報を生成する手段をＰＶＲに付加することによってビデオデータストリームにこのような情報を挿入することを可能にする。これは、ビデオデータを伴うチャプタリング情報の単純な記憶と、ハードディスク又はより一般的には、ＤＶＤなどであっても良い記憶手段の読み出しの間の単純な復号化とを可能にする。
【図面の簡単な説明】
【００７２】
【図１】本発明を実施するシステムを表す。
【図２】本発明の好ましい実施例を実施する符号化装置を表す。
【図３】本発明の好ましい実施例を実施する復号化装置を表す。
【図４】本発明の好ましい実施例を実施するパーソナルオーディオ／ビデオデータレコーダタイプの装置を表す。
【符号の説明】
【００７３】
１  画像処理手段
２，９  符号器
３  送信手段
４，１１  復号器
５  処理手段
６  ディスプレイ装置
７  記録手段
８  記憶手段
１０  ＰＶＲ
【図１】
2008136211.tif 000005
【図２】
2008136211.tif 000006
【図３】
2008136211.tif 000007
【図４】
2008136211.tif 000008